(57)【要約】【課題】  制御回線切断時に自動で運用を切り替えるか否か判断することで運用性の向上を可能にした撮影システムを提供すること。【解決手段】  撮影操作システムは、映像回線を通じて映像が出力される撮影装置を含む雲台を、制御回線を通じて遠隔操作する操作手段と、前記操作手段からの前記雲台に対する操作指令に基づいて、前記制御回線を介して前記雲台に制御指令を出力する制御手段と、を有し、前記制御手段は、前記操作手段から前記制御回線を切断する操作指令を受信した場合、前記操作手段による操作の履歴に基づいて、前記雲台を初期状態に設定した後に、又は、前記雲台を初期状態に設定することなく、前記制御回線を切断する、ことを特徴とする。【選択図】  図１
2018093415.tif 000002
【特許請求の範囲】
【請求項１】
映像回線を通じて映像が出力される撮影装置を含む雲台を、制御回線を通じて遠隔操作する操作手段と、
前記操作手段からの前記雲台に対する操作指令に基づいて、前記制御回線を介して前記雲台に制御指令を出力する制御手段と、
を有し、前記制御手段は、前記操作手段から前記制御回線を切断する操作指令を受信した場合、前記操作手段による操作の履歴に基づいて、前記雲台を初期状態に設定した後に、又は、前記雲台を初期状態に設定することなく、前記制御回線を切断する、
ことを特徴とする撮影操作システム。
【請求項２】
前記制御手段は、前記操作手段から前記制御回線を切断する前記操作指令を受信した場合、前記操作手段が前記制御回線を切断する該操作指令を出力する直前の前記操作手段による操作状態に基づいて、前記雲台を初期状態に設定した後に、又は、前記雲台を初期状態に設定することなく、前記制御回線を切断する、ことを特徴とする請求項１に記載の撮影操作システム。
【請求項３】
前記制御手段は、前記操作手段から前記制御回線を切断する前記操作指令を受信した場合、前記操作手段が前記制御回線を切断する該操作指令を出力する直前に行われた操作が画質を変化させる操作であった場合は、前記雲台を初期状態に設定することなく前記制御回線を切断する、ことを特徴とする請求項２に記載の撮影操作システム。
【請求項４】
前記制御手段は、前記操作手段から前記制御回線を切断する前記操作指令を受信した場合、前記操作手段が前記制御回線を切断する該操作指令を出力する直前に行われた操作が色調整であった場合は、前記雲台を初期状態に設定することなく前記制御回線を切断する、ことを特徴とする請求項３に記載の撮影操作システム。
【請求項５】
前記制御手段は、前記操作手段から前記制御回線を切断する前記操作指令を受信した場合、前記操作手段が前記制御回線を切断する該操作指令を出力する直前に行われた操作がシャッター速度調整であった場合は、前記雲台を初期状態に設定することなく前記制御回線を切断する、ことを特徴とする請求項３に記載の撮影操作システム。
【請求項６】
前記制御手段は、前記操作手段から前記制御回線を切断する前記操作指令を受信した場合、前記操作手段が前記制御回線を切断する該操作指令を出力する直前に行われた操作がゲイン調整であった場合は、前記雲台を初期状態に設定することなく前記制御回線を切断する、ことを特徴とする請求項３に記載の撮影操作システム。
【請求項７】
前記制御手段は、前記操作手段から前記制御回線を切断する前記操作指令を受信した場合で、前記操作手段によって前記雲台が自動追尾に設定されている場合は、前記雲台を初期状態に設定することなく前記制御回線を切断する、ことを特徴とする請求項１に記載の撮影操作システム。
【請求項８】
前記制御手段は、前記操作手段から前記制御回線を切断する操作指令を受信し、前記雲台を初期状態に設定することなく前記制御回線を切断した場合、前記雲台によって撮影された映像が使用される時間帯でないときに、前記制御回線を接続して前記雲台を初期状態に設定する、ことを特徴とする請求項１に記載の撮影操作システム。
【請求項９】
制御回線を切断する前の前記雲台の状態を記憶する記憶手段を有し、
前記制御手段は、前記制御回線を切断した後に再び制御回線を接続するとき、前記記憶手段に記憶された設定へ前記雲台を戻す、
ことを特徴とする請求項１乃至８のいずれか１項に記載の撮影操作システム。
【請求項１０】
前記初期状態は、オートフォーカス制御され、自動露出制御され、パン・チルト位置およびズーム位置が予め決められた位置である、ことを特徴とする請求項１乃至９のいずれか１項に記載の撮影操作システム。
【発明の詳細な説明】
【技術分野】
【０００１】
本発明は、撮影操作システムに関し、特にカメラを遠隔操作する撮影操作システムに関するものである。
【背景技術】
【０００２】
従来、定点観測に用いられるカメラは遠隔操作による制御を行うために雲台に搭載されている。雲台やカメラを操作する操作器は遠隔地から制御回線を通じて制御指令を送信することでこれら撮影装置の制御を行う。このとき用いる制御回線は数に限りがあるため、操作器と撮影装置の間には回線切替システムが存在し、制御回線の接続と切断により操作器が制御できる撮影装置を切り替えることができる。カメラで撮影された映像はＦＰＵ（Field Pickup Unit）によって制御回線とは別の映像回線を通じて操作側へ送信される。このような撮影システムを運用することで遠隔地の映像を取得できる。
【０００３】
また、この撮影システムでは制御回線切断後も地震などの予期しない映像を取得するために映像回線が接続されている時間帯にはＦＰＵが送信する映像を操作側が受信することができる。このとき、映像は操作器の操作なしで取得できなければならない。そのため、操作器と撮影装置をつなぐ制御回線が切断されたときに雲台の位置をホームポジションに移動させると共にカメラの設定をオート設定にする。このように雲台とカメラを初期状態にすることで、自然な映像を取得することができる。利便性向上のために、制御回線の接続・切断状態を判断することで撮影システムの運用形態を自動的に切り替えることができる。しかし、制御回線の切断操作によって自動で撮影装置の設定の切り替えが行われると、誤って制御回線を切断した場合や映像を撮り直したい場合に、それまでの設定を再設定する必要がある。また、制御回線は運用上、一括で切断する機会が多くあるため、少ない手順で制御回線を切断する必要がある。そのため、制御回線を通じて撮影装置を遠隔操作する撮影システムにおいて、切断時の判断処理と一括切断時の操作の簡略化が求められる。
【０００４】
制御回線を切断する際に切断前処理を追加することで撮影システムの利便性が向上する。例えば、特許文献１では制御回線切断時に予め記憶した制御情報に基づいてカメラを制御する技術が開示されている。
【先行技術文献】
【特許文献】
【０００５】
【特許文献１】特開２００６−１２１４１７号公報
【発明の概要】
【発明が解決しようとする課題】
【０００６】
しかしながら、上述の特許文献１の従来技術では、必ず記憶した制御データに基づいた位置へ移動する。そのため、誤って切断したときに位置制御により状態が変化してしまい、再接続したときに同一条件で撮影が行なえなくなる。
【０００７】
そこで、本発明の目的は、制御回線切断時に運用を切り替えるか否か判断することで運用性の向上を可能にした撮影操作システムを提供することである。
【課題を解決するための手段】
【０００８】
上記目的を達成するために、本発明の撮影操作システムは、映像回線を通じて映像が出力される撮影装置を含む雲台を、制御回線を通じて遠隔操作する操作手段と、前記操作手段からの前記雲台に対する操作指令に基づいて、前記制御回線を介して前記雲台に制御指令を出力する制御手段と、を有し、前記制御手段は、前記操作手段から前記制御回線を切断する操作指令を受信した場合、前記操作手段による操作の履歴に基づいて、前記雲台を初期状態に設定した後に、又は、前記雲台を初期状態に設定することなく、前記制御回線を切断する、ことを特徴とする。
【発明の効果】
【０００９】
本発明によれば制御回線切断時に運用を切り替えるか否か判断することで運用性の向上を可能にした撮影操作システムを提供することができる。
【図面の簡単な説明】
【００１０】
【図１】実施例１および２の撮影操作システムの接続図である。
【図２】実施例１および２の操作器の内部構成である。
【図３】実施例１の処理を表すフローチャートである。
【図４】実施例１の雲台の状態を判断するフローチャートである。
【図５】実施例１の映像回線スケジューリングの設定例である。
【図６】実施例１の映像回線を使用するフローチャートである。
【図７】実施例２の処理を表すフローチャートである。
【発明を実施するための形態】
【００１１】
以下に、本発明の制御装置の好ましい実施の形態を、添付の図面に基づいて詳細に説明する。
【実施例１】
【００１２】
以下、本発明の撮影システム（撮影操作システム）の第１の実施例について説明する。
図１に本発明の実施形態に関わる撮影システムである、操作器（操作手段）１ａ、１ｂを用いて雲台１０２ａ、１０２ｂと雲台１０２ａ、１０２ｂの内部に搭載されているカメラを遠隔操作する場合の接続図を示す。
【００１３】
撮影システムは操作システム１１と雲台システム１２（１２ａ，１２ｂ）により構成される。
操作システム１１内は操作器１ａ、１ｂ、回線切替器（制御手段）２、モデム３ａ、３ｂ、映像処理装置４ａ、４ｂにより構成される。雲台システム１２は、モデム１０１ａ、１０１ｂ、雲台１０２ａ、１０２ｂ、ＦＰＵ１０３ａ、１０３ｂにより構成される。
操作器１ａ、１ｂは雲台を制御するコマンド（制御指令）の送受信を行う制御装置である。
【００１４】
回線切替器２は操作器１ａ、１ｂの接続先を決定し、制御対象を雲台１０２ａ又は雲台１０２ｂに切り替えることができる回線接続装置である。
モデム３ａ、３ｂは回線切替器２と接続し、モデム１０１ａ、１０１ｂと制御回線を形成する回線終端装置である。
映像処理装置４ａ、４ｂは受信した映像データの表示、録画を行う機能を持つ装置である。
【００１５】
モデム１０１ａ、１０１ｂはそれぞれ雲台１０２ａ、１０２ｂと接続し、モデム３ａ、３ｂと制御回線を形成する回線終端装置である。
雲台１０２ａ、１０２ｂはパン・チルト操作や画質操作により、搭載したカメラで撮影を行う撮影装置である。
ＦＰＵ１０３ａ、１０３ｂはそれぞれ雲台１０２ａ、１０２ｂと接続され、映像を無線で送信する伝送装置である。なお、例示する実施例においては、映像信号が無線で送信されるシステムを前提とするが本発明はこれに限定されることはない。映像信号が通信される通信手段に有線の通信手段が含まれていてもよいし、有線の通信手段で構成されていてもよい。
【００１６】
操作システム１１と雲台システム１２ａ、１２ｂはモデム３ａ、３ｂ、映像処理装置４ａ、４ｂとモデム１０１ａ、１０１ｂ、ＦＰＵ１０３ａ、１０３ｂにより接続される。
【００１７】
以下、映像システム内で操作器１ａが雲台１０２ａを制御し、映像処理装置１０４ａが映像を取得するときの制御の流れを詳細に示す。
【００１８】
本システムは、操作器１ａ、１ｂがモデム３ａ、３ｂのいずれに接続するかは、回線切替器２の設定により決まる。すなわち、操作器１ａ、１ｂとモデム３ａ、３ｂとの関連付け（接続）に関する回線切替器２の設定（制御回線接続の設定）はユーザにより設定可能であり、操作器１ａ、１ｂからも設定可能である。
【００１９】
まず、操作器１ａが雲台を制御するコマンドを回線切替器２へ送信する。回線切替器２は自身の設定に基づいて制御コマンドの送信先を決定する。送信先の設定がモデム３ａである場合には操作器１ａから受信した制御コマンドをモデム３ａへ送信する。
【００２０】
モデム３ａと接続されるのは雲台システム１２のモデム１０１ａであるため、モデム３ａとモデム１０１ａ間の制御回線を介することで制御コマンドは雲台システム１２のモデム１０１ａへ送信される。そして、モデム１０１ａから雲台１０２ａへ制御コマンドが送信される。この制御コマンドにより雲台１０２ａと雲台１０２ａに搭載されたカメラが操作される。これにより、ユーザが意図する撮影を行うことができる。
【００２１】
このとき撮影された映像はＦＰＵ１０３ａによって取得される。
そして、その映像はＦＰＵ１０３ａと映像処理装置４ａを結ぶ映像回線を通じて操作システム１１へ送信する。送信された映像データを映像処理装置４ａが受信することで、ユーザは映像を取得することができる。
【００２２】
この構成により、操作器１ａが撮影装置の操作を行うと共に映像処理装置４ａが撮影装置により得られる映像を取得することができる。
ここで、撮影システムの接続例としてａとｂの２系統を示したが、回線切替器２に接続される操作器１ａ、１ｂとモデム３ａ、３ｂの数は限定されないため、撮影システムの雲台システム１２は２系統ではなくてもよい。
【００２３】
図２に操作器１ａ、１ｂの内部構成を示す。操作器１ａ、１ｂはＣＰＵ２１、通信部２２、表示処理部２３、操作認識部２４、記憶部（記憶手段）２５、状態識別部２６により構成される。
【００２４】
ＣＰＵ２１は操作器１ａ、１ｂの入出力信号を処理し、通信部２２、表示処理部２３、記憶部２５と状態識別部２６へ情報を送る機能を持つ。
【００２５】
通信部２２はＣＰＵ２１と接続され、ＣＰＵ２１の指令に従い制御コマンドの送受信を回線切替器２に対して行う。
表示処理部２３はＣＰＵ２１に接続され、ＣＰＵ２１から取得した操作器１ａ、１ｂや撮影装置の状態を表示する。
【００２６】
操作認識部２４はＣＰＵ２１に接続され、タッチパネル、ボタンスイッチ、エンコーダ、レバーやジョイスティックなどの入力信号を伝える。
記憶部２５はＣＰＵ２１に接続され、ＣＰＵ２１で処理した撮影装置の内部状態を記憶する。
状態識別部２６はＣＰＵ２１に接続され、ＣＰＵ２１から取得した記憶部２５に記憶される撮影装置の内部状態を識別する。また、記憶部２５には、操作器で操作された操作情報（操作履歴など）が記憶されている。
【００２７】
以下、操作器１ａ、１ｂ内でタッチパネル入力によって撮影装置を操作するときの制御の流れを詳細に示す。
【００２８】
まず、タッチパネルによる入力を操作認識部２４が受信する。そして、その信号をＣＰＵ２１へ送信する。ＣＰＵ２１では信号の処理が行われ、その結果を通信部２２、表示処理部２３、記憶部２５と状態識別部２６へ送信する。
【００２９】
通信部２２は操作器の通信ポートと接続され、制御コマンドを通信ポートへ出力する。表示処理部２３はＣＰＵ２１で処理された結果を操作器の画面に反映させる。記憶部２５は、操作により変更された設定を新たに記憶する。そして、状態識別部２６は外部機器との接続状態や撮影機器の状態を識別する。
また、撮影装置から返信される制御コマンドを受信したときの処理の流れは以下のようになる。
【００３０】
まず、通信部２２が制御コマンドを受信する。そして、その信号をＣＰＵ２１へ送信する。ＣＰＵ２１では制御コマンドを解析する。解析結果は、表示処理部２３、記憶部２５と状態識別部２６へ送信される。表示処理部２３では結果を元に表示の更新処理を行う。記憶部２５では撮影装置の状態変化を検出して記憶情報を更新する。状態識別部２６では記憶部の更新結果を元に状態の更新を行う。
【００３１】
この構成により、操作器１ａ、１ｂで制御コマンドの送受信を処理すると共に送信コマンドと現在の撮影装置の状態を管理することができる。
【００３２】
図３に撮影システムの制御回線を接続、切断する際の回線切替器２の制御の流れをフローチャートで示す。
この処理は、回線切替器２によって切断状態の制御回線を接続するときに実行される。回線切替器２で制御回線の接続操作が行われるとステップＳ１０１に進む。
【００３３】
ステップＳ１０１では回線切替器２に対してなされた制御回線接続操作、又は操作器１ａ、１ｂから設定された制御回線接続の設定に従い、制御回線を接続する。
ステップＳ１０２で雲台１０２ａ、１０２ｂの情報を取得し、ステップＳ１０３に進む。
ステップＳ１０３では、操作器１ａ、１ｂから取得した操作指令をモデム３ａ、３ｂに送信し、雲台１０２ａ、１０２ｂを駆動し、ステップＳ１０４に進む。
【００３４】
ステップＳ１０４でモデム間の制御回線を切断する処理が実行されたかを検出する。切断処理が検出されない場合にはステップＳ１０２に進み、撮影装置情報を操作側で取得して、雲台操作を行う。一方、切断処理が検出された場合にはステップＳ１０５に進む。
【００３５】
ステップＳ１０５では雲台１０２ａ、１０２ｂのポジションやカメラの設定をそのまま維持するかを判定する。この判定には操作器１ａ、１ｂの操作状態を用いる。判断基準は撮影装置が操作器１ａ、１ｂによってすぐに操作される状態か否かである。この判断基準については後述する。
ステップＳ１０５で撮影装置の状態を維持すると判定した場合にはステップＳ１０７に進む。一方、撮影装置の状態を維持しないと判定した場合にはステップＳ１０６に進む。
【００３６】
ステップＳ１０６では、雲台１０２ａ、１０２ｂをホームポジションにするように操作システム１１から制御コマンドを送信する。カメラも雲台１０２ａ、１０２ｂと同様に、オート設定にするように操作システム１１から制御コマンドを送信する。これで、雲台１０２ａ、１０２ｂは初期状態になり、ステップＳ１０７に進む。このとき、撮影装置を初期状態にする制御コマンドは操作器１ａ、１ｂから受信した信号を送信しても良いし、操作器１ａ、１ｂが接続されていない場合を考慮して回線切替器２が信号を作成して送信しても良い。なお撮影装置が初期状態であるとは、撮影装置がオートフォーカス制御（ＡＦ制御）され、自動露出制御（ＡＥ制御）され、パン・チルト位置およびズーム位置が予め決められた位置であることを指すものとする。
ステップＳ１０７では、制御回線を切断し、フロー処理を終了する。
【００３７】
このフローを実行することで、後述する撮影装置の状態を維持する場合であると判定される、例えば、誤操作により制御回線が切断された場合には、撮影装置の設定を初期状態（規定の状態）に復帰させることなく、現状の状態を維持することができる。
【００３８】
ここで、先述したＳ１０５での判断で使用する、制御回線切断時に撮影装置が操作器１ａ、１ｂによってすぐに操作される状態か否かを回線切替器２により判断する処理を、図４に示すフローチャートにより説明する。
この処理は、回線切替器２で制御回線切断操作が行われたときに、回線切替器２によって行われる。回線切替器２が制御回線切断操作を検出すると実行され、ステップＳ２０１に進む。
【００３９】
ステップＳ２０１では、操作器１ａ、１ｂが制御回線と接続されているか確認する。その結果、操作器１ａ、１ｂが接続されておらず、モデム間の制御回線は維持されているが、回線切替器２の設定により操作器１が雲台１０２ａ、１０２ｂを操作できない状態である場合にはステップＳ２０６に進む。ここで、操作器が制御回線と接続されていない状態とは、操作器が複数の雲台装置を操作対象として切り換えて操作可能な場合である。他の雲台装置を操作（通信）している場合には、その操作対象としている雲台装置以外は回線切替器に対しては「保留中」となるが、その状態を指すものとする。
【００４０】
一方、操作器１ａ、１ｂが接続されている場合はステップＳ２０２に進む。
ステップＳ２０２では、操作器１ａ、１ｂから操作情報を取得し、ステップＳ２０３に進む。
ステップＳ２０３では、操作器１ａ、１ｂから色調整などの画質を調整する操作（ゲイン調整、シャッター速度調整）が直前に行われているか否かを確認する。画質を調整する操作が行われている場合はステップＳ２０６に進む。行われていない場合は、ステップＳ２０４に進む。
【００４１】
ステップＳ２０４では、操作器１ａ、１ｂから雲台（撮影装置）の状態情報を取得し、ステップＳ２０５に進む。
ステップＳ２０５では操作器１ａ、１ｂによって撮影装置に自動追尾などの自動操作が設定されているか否かを確認する。設定されている場合はステップＳ２０６に進み、設定されていない場合はステップＳ２０７に進む。
【００４２】
ステップＳ２０６では、撮影装置の状態をそのまま維持すると判定する。そして、このフロー処理を終了し、図３のステップＳ１０７で、状態を維持したまま切断処理を行う。
ステップＳ２０７では、撮影装置を初期状態にする判断を行う。そして、このフロー処理を終了し、図３のステップＳ１０６、Ｓ１０７と進み、撮影装置を初期状態に設定した後に制御回線を切断する。
【００４３】
このフローを辿ることで、制御回線が切断されても再びその時点での設定を用いて撮影装置を操作する可能性があるか、現在の設定（操作器で行われた操作の履歴、直前に行われた操作）を使用して撮影装置を操作することはないかを判断し、制御回線を切断することができる。
【００４４】
次に、図３、図４のフローチャートにより制御回線が切断された後の処理について示す。制御回線切断後は、映像回線の状態によって処理を切り替える。
映像回線の状態は映像回線スケジュールの設定により既定することができる。
【００４５】
図５に映像回線スケジュールの設定例を示す。ここでは、カメラ名称に対して時刻と映像回線名称が指定されている。
図５の映像回線スケジューリングでは、カメラＡＡＡは１１：００〜１２：００まで映像回線１１１、カメラＢＢＢは１１：００〜１５：００まで映像回線２２２、カメラＣＣＣは１４：００〜１６：００まで映像回線３３３を使用することが既定される。
【００４６】
映像回線スケジュールを使用することにより、設定したカメラが撮影した映像を取得する映像回線を確保することができる。また、既定された時間に関わらず、未使用の回線がある場合は、その回線を使うことで映像の伝送が可能である。
【００４７】
図６に制御回線切断後に操作システム１１が撮影装置の状態を制御するフローチャートを示す。
この処理は、回線切替器２によって行われる。制御回線が切断されると処理が開始され、ステップＳ３０１に進む。
【００４８】
ステップＳ３０１で撮影装置が初期状態であるか否かを判断する。撮影装置は当該操作器からの指令によって制御されているので、回線切替器２に操作器から制御回線の切断指令が入力される直前の撮影装置が初期状態であるか否かについては、回線切替器２によって認識されている。撮影装置が初期状態である場合は、処理の必要がないため、ここで制御回線切断後の処理を終了する。一方、撮影装置が初期状態でない場合には、ステップＳ３０２に進む。
【００４９】
ステップＳ３０２では、映像回線スケジュールの情報に基づいて現在の時間帯が映像回線を使用する時間帯であるか否かを判定する。この判断の結果から、使用する時間帯である場合にはステップＳ３０２に戻る。一方、映像が使用される時間帯ではないと、ステップＳ３０３に進む。
ステップＳ３０３では、回線切替器２が制御回線を再接続して撮影装置を初期状態へ戻し、フロー処理を終了する。
【００５０】
本実施例によれば、誤って制御回線が切断してしまった場合であっても、切断直後（設定されている所定の時間以内）に再接続の処理がなされた場合は、撮影装置をあらためて所定の設定状態に再設定することなく切断前の状態で撮影を継続することができる撮影システムを提供することができる。
これにより、撮影装置の映像を使用する可能性があるために撮影装置の状態を維持して制御回線を切断した後であっても、映像を使用する可能性がなくなると撮影装置の状態を初期状態に戻すことができる。
ここで、映像を使用するか否かを映像回線スケジューリングに設定された時刻で判断したが、制御回線切断後の経過時間で判断してもよい。
【００５１】
本実施例によれば、制御回線切断時に自動で運用を切り替えるか否か判断することで運用性の向上を可能にした撮影システムを提供することができる。
【実施例２】
【００５２】
以下、本発明の第２の実施例について説明する。
図７に実施例２における回線切替器２の制御回線接続・切断時の処理をフローチャートで示す。
この処理は、制御回線接続操作を回線切替器２が検出した場合に実行される。回線切替器２で制御回線接続操作が行われるとステップＳ４０１に進む。
【００５３】
ステップＳ４０１からステップＳ４０４までは図４のフローチャートのステップＳ１０１からステップＳ１０４までと同様であるので説明を省略する。ステップＳ４０４の処理が終わると、ステップＳ４０５に進む。
【００５４】
ステップＳ４０５では、現在の雲台情報を操作器１ａ、１ｂの記憶部２５に記憶する。記憶する雲台情報は雲台１０２ａ、１０２ｂの名称・ポジションやカメラの設定情報である。
ステップＳ４０６では、雲台１０２ａ、１０２ｂをホームポジションへ移動させ、カメラをオート設定とする。
【００５５】
ステップＳ４０７では、制御回線を切断し、ステップＳ４０８に進む。
ステップＳ４０８では、制御回線が再接続されたか否か判断する。再接続されなかった場合はステップＳ４０９に進む。一方、再接続された場合はステップＳ４１０に進む。
【００５６】
ステップＳ４０９では、一定時間経過したかを判断する。一定時間が経過した場合は、このフロー処理を終了する。一方、一定時間が経過していない場合はステップＳ４０８に進む。
ステップＳ４１０では、操作器１ａ、１ｂで記憶していた雲台情報を、接続された雲台１０２ａ、１０２ｂに再設定し、フロー処理を終了する。
【００５７】
本実施例によれば、制御回線が切断され、撮影装置を初期状態へ設定した後であっても、切断直後（設定されている所定の時間以内）に再接続の処理がなされた場合は、撮影装置をあらためてマニュアルで再設定することなく以前の設定に戻すことができる撮影システムを提供することができる。
【００５８】
以上、本発明の好ましい実施形態について説明したが、本発明はこれらの実施形態に限定されず、その要旨の範囲内で種々の変形および変更が可能である。
【符号の説明】
【００５９】
１  操作器
２  回線切替器
３  モデム
４  映像処理装置
１１  操作システム
１０２  雲台
【図１】
2018093415.tif 000003
【図２】
2018093415.tif 000004
【図３】
2018093415.tif 000005
【図４】
2018093415.tif 000006
【図５】
2018093415.tif 000007
【図６】
2018093415.tif 000008
【図７】
2018093415.tif 000009